(57)【要約】  【課題】  草刈刃および設置物の破損を抑制できる草刈刃および草刈機を提供する。  【解決手段】  草刈刃１の中央には草刈機３と連結するための連結部１１が形成され、連結部１１の周囲には連結部１１を中心として拡がる周辺部２１が設けられている。周辺部２１は、外縁が下側に傾斜するように全体として湾曲している。草刈刃１の回転軸Ａと直交する面Ｂに対する傾斜角度は下側に向かうに連れて徐々に大きくなる。周辺部２１には、外縁に開口を有する切欠２３が形成されている。回転軸Ａから第１端部２７の周辺部２１の外縁までの距離をＬ１，第２端部２９の外縁までの距離をＬ２，切欠２３が設けられていない所定の位置までの距離をＬ３とすると、Ｌ３＞Ｌ１＞Ｌ２となる。【選択図】図１
2014030421.tif 000002
【特許請求の範囲】
【請求項１】
草刈機にて用いられる草刈刃であって、
前記草刈機と連結するための連結部と、
前記連結部を中心として拡がり、外縁が下側に傾斜する周辺部と、を備え、
前記周辺部は、外縁に開口を有する切欠が複数設けられ、前記切欠の縁部よりも前記草刈刃の回転軸から離れた位置にある領域を有しており、
前記縁部のうち前記周辺部の外縁から最も前記草刈刃の中心方向への深さを有する最深部へと続く第１端部および第２端部が前記草刈刃の回転時に通過する領域のうち、上下方向の所定の範囲においては、前記回転の回転軸と直交する方向に関して間隔を有する
ことを特徴とする草刈刃。
【請求項２】
前記所定の範囲は、前記草刈刃の下端から上方に広がる範囲である
ことを特徴とする請求項１に記載の草刈刃。
【請求項３】
前記回転時に前記第１端部が通過する領域は、前記回転時に前記第２端部が通過する領域よりも外側に位置しており、
前記周辺部における隣り合う２つの前記切欠に挟まれる領域であって、一方の前記切欠の前記第１端部と他方の前記切欠の前記第２端部とを端部に有する領域は、
前記第１端部から前記回転方向に拡がる第１領域と、
前記第１領域における前記第１端部と反対側の端部から、前記回転軸から離れる方向に突出する第２領域と、
前記第２領域の突出した先端から、前記第２端部へとつながる第３領域と、を有する
ことを特徴とする請求項１または請求項２に記載の草刈刃。
【請求項４】
前記回転時に前記第１端部が通過する領域は、前記回転時に前記第２端部が通過する領域よりも外側に位置しており、
前記周辺部における隣り合う２つの前記切欠に挟まれる領域であって、一方の前記切欠の前記第１端部と他方の前記切欠の前記第２端部とを端部に有する領域は、前記第１端部から前記第２端部方向に拡がる第１面と、前記第２端部から前記第１端部方向に拡がる第２面と、を有し、
前記第１面は、前記第１端部側から前記第２端部側に向かうに連れて前記回転軸からの距離が遠くなる面を有しており、
前記第２面は、前記第２端部側から前記第１端部側に向かうに連れて前記回転軸からの距離が遠くなる面を有している
ことを特徴とする請求項１または請求項２に記載の草刈刃。
【請求項５】
草刈機にて用いられる草刈刃であって、
前記草刈機と連結するための連結部と、
前記連結部を中心として拡がり、外縁が下側に傾斜する周辺部と、を備え、
前記周辺部は、貫通孔が複数設けられ、前記貫通孔の縁部よりも前記草刈刃の回転軸から離れた位置にある領域を有しており、
前記貫通孔の縁部のうち、当該貫通孔を挟む位置関係で前記上下方向と直交する方向に離れて存在する２つの領域は、前記回転の回転軸からの距離が相違する
ことを特徴とする草刈刃。
【請求項６】
前記草刈刃における前記貫通孔の下方には、上下方向に延び、外側に突出する突出部が設けられている、請求項５に記載の草刈刃。
【請求項７】
草刈機にて用いられる草刈刃であって、
前記草刈機と連結するための連結部と、
前記連結部を中心として拡がり、外縁が下側に傾斜する周辺部と、を備え、
前記周辺部は、下端に開口を有する切欠が複数設けられ、前記切欠の縁部よりも前記草刈刃の回転軸から離れた位置にある領域を有しており、
前記縁部における前記切欠の下端から上端へと続く第１端部および第２端部が前記草刈刃の回転時に通過する領域のうち、上下方向の所定の範囲においては、前記回転の回転軸と直交する方向に関して間隔を有する
ことを特徴とする草刈刃。
【請求項８】
前記連結部は、当該連結部の周囲よりも下方向に窪んだ面に形成される
ことを特徴とする請求項１から請求項７のいずれか１項に記載の草刈刃。
【請求項９】
請求項１から請求項８のいずれか１項に記載の草刈刃を備える草刈機。
【発明の詳細な説明】
【技術分野】
【０００１】
本発明は、雑草などの刈り取りを行う草刈機にて用いられる草刈刃に関する。
【背景技術】
【０００２】
手持ち式の草刈機として、操作用のハンドルとエンジンなどの駆動源を有し、先端部には駆動源によって回転駆動される草刈刃を有するものが用いられている。
従来この草刈刃は、全体として平面板状であって外周に複数の刃が形成してなるものが多く用いられていたが、草刈刃の先端が上方や下方に傾斜するように構成された草刈刃も提案されている（特許文献１，２参照）。
【先行技術文献】
【特許文献】
【０００３】
【特許文献１】特開平５−９１８１４号公報
【特許文献２】特開昭６１−８３０１号公報
【発明の概要】
【発明が解決しようとする課題】
【０００４】
草刈刃は非常に高速で回転するため、先端部分に例えばコンクリートや壁、地面に埋め込まれた柱、ネット、フェンスといった設置物又は石などと接触したときに、その設置物を破損させてしまったり、あるいは草刈刃が破損してしまったりする場合があった。
【０００５】
本発明の目的は、草刈刃および設置物の破損を抑制できる草刈刃および草刈機を提供することである。
【課題を解決するための手段】
【０００６】
上述した問題を解決するためになされた請求項１に記載の発明は、草刈機に取り付けて用いられる草刈刃であって、草刈機と連結するための連結部と、連結部を中心として拡がり、外縁が下側に傾斜する周辺部と、を備え、上記周辺部は、外縁に開口を有する切欠が複数設けられ、上記切欠の縁部よりも草刈刃の回転軸から離れた位置にある領域を有しており、上記縁部のうち上記周辺部の外縁から最も草刈刃の中心方向への深さを有する最深部へと続く第１端部および第２端部が草刈刃の回転時に通過する領域のうち、上下方向の所定の範囲においては、上記回転の回転軸と直交する方向に関して間隔を有することを特徴とする。
【０００７】
このように構成された草刈刃は、周辺部の端部、特に切欠の縁部（端面）にて草を刈ることができる。そして、周辺部はこの縁部よりも回転軸から離れた領域を有しているため、切欠の縁部が設置物などに接触しにくくなる。一方、設置物に接触し易くなる上記縁部よりも回転軸から離れた領域は、切欠の端面ではないため設置物に損傷を与え難く、また草刈刃の草を刈る性能を劣化させ難い。
【０００８】
従って、本発明の草刈刃は、設置物などを破損させてしまったり、草刈刃を破損させてしまったりすることを抑制できる。
また、切欠の縁部における第１端部と第２端部との間には、回転軸と直交する方向の間隔が設けられているため、草刈刃で刈るべき草が切欠の内部に入り込み易くなり、その結果、草刈を迅速に行うことができるようになる。
【０００９】
また、本発明の草刈刃は、主に周辺部の端部（外側端部）における切欠の縁部にて草を刈るように構成されているため、周辺部の下側に傾斜している先端が地面や路面などに接触して磨耗しても、草を刈る機能が非常に低下しにくい。一方、従来の草刈刃のように刃が水平方向に伸びだすものは、先端が地面に当たると刃が磨耗して草を刈る機能が低下しやすいため、先端が地面に接触しないように注意して操作しなければならない。
【００１０】
つまり、本発明の草刈刃は、草刈機を操作して草刈刃を上下に動かしながら草を刈ることを簡便に行うことができ、その結果、草を細かく切断することができる。また、枯れ草のように地面上に横たわった草であっても、上方向から草刈刃を当てて容易に刈り取ることができる。
【００１１】
なお上述した切欠とは、草刈刃の外縁に設けられた切欠き形状の部分を意味しているものである。よって、切欠はその形成方法が特に限定されるものではない。
なお、上述した周辺部は、断面が曲面状となるように（即ち湾曲するように）傾斜していてもよいし、断面が直線状となるように傾斜していてもよい。
【００１２】
草刈刃の下方向とは、草刈機に取り付けて使用する状態における下方向である。換言すると、草刈刃の回転軸に沿う方向のうち、草刈機の駆動源や操作に用いる把持部などがある方向が上方向であり、その反対方向であって使用時には地面側を向く方向が下方向である。この下方向とは、草刈刃の説明を明確にするために使用時の方向を基準として定義したものである。
【００１３】
ところで、上述した上下方向の所定の範囲は、当該草刈刃の下端から上方に広がる範囲であるように構成されていてもよい。草を刈る際には草が下方向から草刈刃に接触する場合が多いため、草刈刃の下端において上述した第１端部および第２端部の間隔が設けられていることにより、効率よく草を刈ることができる。
【００１４】
また、上述した連結部は、その周囲よりも下方向に窪んだ面に形成されるように構成されていてもよい。
このように構成された草刈刃は、連結部と草刈機本体の連結部分の側方が、連結部よりも上方向に位置する周囲の部分によって覆われ隠される。そのため、草などが連結部と草刈機との連結部分に絡まってしまうことを抑制できる。
【００１５】
また、草刈刃の回転時に第１端部が通過する領域は、第２端部が通過する領域よりも外側に位置しており、上記周辺部における隣り合う２つの切欠に挟まれる領域であって、一方の切欠の前記第１端部と他方の切欠の第２端部とを端部に有する領域は、第１端部から上記回転方向に拡がる第１領域と、当該第１領域における第１端部と反対側の端部から、上記回転軸から離れる方向に突出する第２領域と、当該第２領域の突出した先端から、第２端部へとつながる第３領域と、を有するように構成してもよい。
【００１６】
このように構成された草刈刃は、草刈機に取り付けて回転させると揚力を発生する。その結果、草刈機が軽くなり操作が容易になるため、草刈り作業を容易に行うことができるようになる。例えば、揚力を調整して浮き上がり高さを一定とすることで、草を刈った跡を目立ち難く、綺麗に仕上げることができる。
【００１７】
また、草刈刃に揚力を発生させるためには、以下のように構成してもよい。その構成とは、草刈刃の回転時に第１端部が通過する領域が、第２端部が通過する領域よりも外側に位置しており、上記周辺部における隣り合う２つの切欠に挟まれる領域であって、一方の切欠の前記第１端部と他方の切欠の第２端部とを端部に有する領域が、上記第１端部から上記第２端部方向に拡がる第１面と、上記第２端部から上記第１端部方向に拡がる第２面と、を有する構成であって、上記第１面が、上記第１端部側から上記第２端部側に向かうに連れて回転軸からの距離が遠くなる面を有しており、上記第２面が、上記第２端部側から上記第１端部側に向かうに連れて回転軸からの距離が遠くなる面を有している構成である。
【００１８】
なお、上記第１面および第２面の形状は、全体としてそのように形成されていればよい。つまり、第１面や第２面の一部が強度向上などの目的で突出したりしていてもよい。
なお揚力は草刈刃の形状によって調整することができるが、草刈機の回転速度でも調整できる。また草刈刃の例えば連結部周辺などに貫通孔を開けることで揚力を調整することもできる。貫通孔を開けると揚力が低下するが、テープで貫通孔を塞いだり、貫通孔の開閉機構を設けて貫通孔を塞ぐことで揚力を調整できる。
【００１９】
請求項５に記載の発明は、草刈機にて用いられる草刈刃であって、上記草刈機と連結するための連結部と、上記連結部を中心として拡がり、外縁が下側に傾斜する周辺部と、を備える。上記周辺部は、貫通孔が複数設けられ、上記貫通孔の縁部よりも上記草刈刃の回転軸から離れた位置にある領域を有しており、また、上記貫通孔の縁部のうち、当該貫通孔を挟む位置関係で上記上下方向と直交する方向に離れて存在する２つの領域は、上記回転の回転軸からの距離が相違することを特徴とする。
【００２０】
このように構成された草刈刃において、周辺部は貫通孔の縁部よりも回転軸から離れた領域を有しているため、貫通孔の縁部が設置物などに接触しにくくなる。一方、設置物に接触しやすくなる上記縁部よりも回転軸から離れた領域は、貫通孔の端面ではないため設置物に接触しても損傷を与え難く、また破損し難い。
【００２１】
従って、設置物などを破損させてしまったり、草刈刃を破損させてしまったりすることを抑制できる。また、貫通孔の縁部にて草を刈ることが可能となり、草刈を迅速に行うことができる。
【００２２】
なお上記草刈刃における貫通孔の下方には、上下方向に延び、外側に突出する突出部が設けられていてもよい。
請求項７に記載の発明は、草刈機にて用いられる草刈刃であって、上記草刈機と連結するための連結部と、上記連結部を中心として拡がり、外縁が下側に傾斜する周辺部と、を備える。上記周辺部は、下端に開口を有する切欠が複数設けられ、上記切欠の縁部よりも上記草刈刃の回転軸から離れた位置にある領域を有しており、上記縁部における上記切欠の下端から上端へと続く第１端部および第２端部が上記草刈刃の回転時に通過する領域のうち、上下方向の所定の範囲においては、上記回転の回転軸と直交する方向に関して間隔を有することを特徴とする。
【００２３】
このように構成された草刈刃は、請求項１に記載の草刈刃と同様の作用・効果を奏することができる。
請求項９に記載の発明は、上述した本発明の草刈刃を備える草刈機である。このような草刈機であれば、上述した本発明の草刈刃を用いて、草刈刃および設置物の破損を抑制できるという効果を得ることができる。
【図面の簡単な説明】
【００２４】
【図１】実施例１の草刈刃を示す図であって、（Ａ）が斜視図であり、（Ｂ）が側面図であり、（Ｃ）が平面図である。
【図２】実施例１の草刈刃を草刈機に取り付けた状態を示す側面図であって、（Ａ）が全体図であり、（Ｂ）が草刈刃と草刈機との連結部分の拡大図である。
【図３】草刈刃が回転した際に第１端部が通過する領域および第２端部が通過する領域を表す模式的な断面図であって、（Ａ）が実施例１の草刈刃であり、（Ｂ）が変形例の草刈刃である。
【図４】実施例２の草刈刃を示す図であって、（Ａ）が斜視図であり、（Ｂ）が側面図であり、（Ｃ）が平面図である。
【図５】図４（Ｂ）のＥ−Ｅ断面であって、切欠６７の間の部分である刃片９１の断面を２つ並べた図である。
【図６】変形例の草刈刃を示す図であって、（Ａ）が斜視図であり、（Ｂ）が図６（Ａ）のＩ−Ｉ断面図である。
【図７】変形例の草刈刃を示す斜視図である。
【図８】変形例の草刈刃を示す斜視図である。
【図９】変形例の草刈刃を示す視図である。
【図１０】実施例３の草刈刃を示す斜視図である。
【図１１】実施例３の変形例の草刈刃を示す斜視図である。
【図１２】実施例３の変形例の草刈刃を示す斜視図である。
【図１３】実施例４の草刈刃を示す斜視図である。
【発明を実施するための形態】
【００２５】
以下に本発明の実施形態を図面と共に説明する。
［実施例１］
（１）草刈刃の構成
図１（Ａ）〜（Ｃ）に、本実施例の草刈刃１を示す。草刈刃１は、図２（Ａ）に示すように草刈機３と連結して用いられる。この草刈刃１は図１（Ｃ）において左回りに回るように用いられることで、より良好に草刈機能を発揮するものである。以降、左回りを回転方向として説明する。
【００２６】
草刈刃１は、全体として略円形の円盤状の形状である。草刈刃１の中央には、草刈機３と連結するための連結部１１が形成されている。
連結部１１は、中央の貫通孔１３とその周囲に拡がる円形状の平面１５からなる。連結部１１の周囲には連結部１１を中心として拡がる周辺部２１が設けられている。連結部１１は、周辺部２１における連結部１１の周囲の部分よりも下方向に窪んだ面に形成されている。貫通孔１３の中心を通過する線であって、平面１５と直交する線が、草刈刃１が回転する際の回転軸Ａとなる。
【００２７】
周辺部２１は、図１（Ａ），（Ｂ）に示すように、外縁が下側に傾斜するように全体として湾曲している。ここで言う下側とは、草刈機３に取り付けて使用する状態における下方向であり、また草刈刃１の回転軸Ａに沿う方向のうち、草刈機３の駆動源であるエンジン３１や操作に用いる把持部などがある方向の反対方向である。草刈刃１の回転軸Ａと直交する面Ｂに対する傾斜角度は周辺部２１の端部側に向かうに連れて徐々に大きくなる。周辺部２１の先端における傾斜角度Ｃは、３０°〜９０°となるように形成される。
【００２８】
なお、以下の説明において、円周方向とは回転軸Ａを中心とした円周の方向を意味し、半径方向とは回転軸Ａを中心とした円の半径方向を意味するものとする。
周辺部２１には、外縁に開口を有する切欠２３が等間隔で６箇所に形成されている。切欠２３の数は特に限定されることなく、７箇所以上または５箇所以下であってもよい。
【００２９】
周辺部２１は、切欠２３の縁部において、最も当該草刈刃１の中心方向への深さを有する最深部２５と、周辺部２１の外縁における切欠２３の開口の両端部から最深部２５へと続く第１端部２７および第２端部２９を有する。第１端部２７および第２端部２９は、草刈刃１の回転方向に関して互いに逆向きとなって対面している。
【００３０】
図１（Ｃ）に示すように、回転軸Ａから第１端部２７の周辺部２１の外縁２７ａまでの距離をＬ１，第２端部２９の外縁２９ａまでの距離をＬ２，切欠２３が設けられていない所定の位置２１ａまでの距離をＬ３とすると、Ｌ３＞Ｌ１＞Ｌ２となる。即ち、位置２１ａは、切欠２３の縁部よりも回転軸Ａから離れた位置にある。
【００３１】
また、回転軸Ａを中心として、この位置２１ａと外縁２７ａとが為す角度θ１と、外縁２７ａと外縁２９ａとが為す角度θ２と、の比率は、１／２＞θ１／θ２＞１／４の範囲となる。つまり、位置２１ａは外縁２９ａよりも外縁２７ａよりに位置している。
【００３２】
図３（Ａ）に、草刈刃１が回転した際に第１端部２７が通過する領域２７ｂおよび第２端部２９が通過する領域２９ｂを表す模式的な側面断面図を示す。草刈刃１の回転軸Ａに沿う方向（上下方向）の所定の範囲において、領域２７ｂは領域２９ｂよりも回転軸から離れた位置となるように、回転軸Ａと直交する方向に間隔を有している。所定の範囲とは、草刈刃１の下端から上方向に広がる範囲である。
【００３３】
なお、領域２７ｂと領域２９ｂの間隔は、上下方向に関して図３（Ａ）では図示しない最深部２５付近まで大きく変化せず、一定以上の間隔を保っている。
ところで、草刈刃１は強度を向上させるために波打った形状となっている。具体的には、周囲より高く盛り上った部分を山部としたとき、図１（Ｃ）に示すように、周辺部２１には半径方向に延びる山部１７が円周方向に並ぶように設けられている。
【００３４】
（２）草刈刃の草刈機への取り付け
草刈機３を図２（Ａ）に示す。なお図２（Ａ），（Ｂ）では、理解を容易にするために草刈刃１を断面図で示している。草刈機３は、エンジン３１、パイプシャフト３３、駆動軸３５、パイプシャフト３３の内部に配置される図示しない回転軸などを備える。エンジン３１は、パイプシャフト３３の内部の回転軸を回転させ、その回転力によって駆動軸３５が回転する。
【００３５】
草刈刃１と草刈機３との連結部分の拡大図を図２（Ｂ）に示す。草刈刃１は、駆動軸３５の先端（下端）を連結部１１の貫通孔１３に挿入した状態で、留め金具３７にて平面１５を挟み込んでボルト３９を駆動軸３５に締着することで固定され、駆動軸３５と一体に回転するようになる。
【００３６】
このように草刈刃１を取り付けた状態でエンジン３１を駆動させると、パイプシャフト３３の内部の回転軸および駆動軸３５が回転し、それに伴い草刈刃１が回転して、雑草などを刈り取ることができるようになる。
【００３７】
（３）効果
本実施例の草刈刃１では、周辺部２１の位置２１ａが切欠２３の縁部よりも回転軸Ａを基準として外側に位置している。即ち、草刈刃１が回転しているときには位置２１ａがコンクリートなどの設置物に最初に接触しやすくなる。位置２１ａは周辺部２１の中ほどに位置しているため、設置物と接触しても切欠２３の縁部が接触する場合と比較して影響が小さい。よって、設置物などを破損させてしまったり、草刈刃１を破損させてしまったりすることを抑制できる。また、人や動物に接触したときの怪我も抑制することができる。
【００３８】
また、切欠２３の縁部における第１端部２７は第２端部２９よりも回転軸Ａから離れた位置にあり、また草刈刃１が回転すると、より回転軸Ａ側に近い第２端部２９が第１端部２７よりも回転方向の前方となる。よって、刈るべき草が切欠２３の内部に入り込んで第１端部２７による切断が行われ易くなり、その結果、草刈を迅速に行うことができるようになる。
【００３９】
具体的には、図３（Ａ）に示す領域２７ｂと領域２９ｂとの間の領域Ｄに入り込んだ草が第１端部２７によって刈り取られる。この領域Ｄは草刈刃１の下端から上方向に広がる領域である。草は、草刈刃１に対して下方向から接触することが多いため、草を効率よく領域Ｄに入り込ませて刈ることができる。また領域２７ｂと領域２９ｂとの間隔が下端から上方まで一定の幅以上に維持されているため、草刈刃１の側方における広い範囲にて良好に草を刈ることができる。
【００４０】
また本実施例の草刈刃１であれば、図２（Ｂ）に示すように、周辺部２１により刈り取られた草や薙ぎ倒された草７が、回転する草刈刃１の傾斜面に接触した際に草刈刃１の外側（半径方向の外側）方向に弾き出される。そのため草刈刃１の上に草が乗りにくくなる結果、草同士が絡んだり、草刈機３が草を巻き込んでしまうことを抑制できる。
【００４１】
さらに、連結部１１は周辺部２１における連結部１１の周囲の部分よりも下方向に窪んだ面に形成されているため、連結部１１と草刈機３本体の連結部分の側方が、連結部１１よりも上方向に位置する周囲の部分によって隠されることとなる。そのため、刈り取った、あるいは刈り取る前の草などが連結部１１と草刈機３との連結部分に絡まってしまうことを抑制できる。
【００４２】
ところで、上述したように図１（Ｂ）に示す周辺部２１の先端における傾斜角度Ｃが３０°〜９０°にて下方向に傾斜していることで草刈刃１および設置物の破損を抑制できるが、傾斜角度を大きくしすぎると草刈り効率が低くなる。また、傾斜角度は大きいほど破損抑制効果が大きい。そこで、周辺部２１の先端の傾斜角度Ｃを、３０°〜８０°の範囲とすることで、草刈刃１や設置物の破損の抑制および草の絡まりの抑制を達成しつつ、草刈りの効率を高く維持することができる。また、草刈りの効率を重視する場合には３０°〜６０°とし、破損抑制効果を重視する場合には４５°〜８０°とするとよい。
【００４３】
なお、草刈刃１や設置物の破損の抑制効果は若干低下するものの、傾斜角度Ｃは３０°以下であってもよい。
なお、草刈刃１の直径が２０〜３０ｃｍ、切欠２３の幅が４〜８ｃｍの場合には、Ｌ１とＬ２の差は、８〜２０ｍｍ程度とするとよいが、刈り取る対象物などに応じて適宜調整して用いるとよい。
【００４４】
［実施例２］
（１）草刈刃の構成
図４に、本実施例の草刈刃５１を示す。草刈刃５１は、図２（Ａ）に示す草刈機３に取り付けて用いられるものである。
【００４５】
草刈刃５１は、全体として略円盤状の形状であって、草刈刃５１の中央には、草刈機３と連結するための連結部５３が形成されている。連結部５３は中央の貫通孔５５とその周囲に拡がる円形状の平面５７からなる。この草刈刃５１は図４（Ｃ）における左回りに回るように用いられる。
【００４６】
連結部５３の周囲には連結部５３を中心として拡がる周辺部６１が設けられる。周辺部６１は、図４（Ａ），（Ｂ）に示すように、外縁が下側に傾斜するように全体として湾曲している。周辺部６１は、連結部５３と隣接する部分において比較的なだらかに下方向に傾斜する円形の上部６３と、上部６３の周囲で比較的急角度で下方向に傾斜する下部６５と、からなる。
【００４７】
上部６３と下部６５との境界部分には、上部６３の外周を囲うように凸条６３ａが形成されている。この凸条６３ａは上部６３と下部６５との境界部分から上方に突き出している。草刈刃５１はこの凸条６３ａによって形状の変化が抑制され、特に下部６５が上方向に開いてしまうことを抑制する。
【００４８】
なお、上部６３と下部６５との境界部分には、上記凸条６３ａに変えて下方に凹んだ凹条が形成されていてもよく、その場合にも上記の効果を奏する。
下部６５には、外縁に開口を有する切欠６７が等間隔で６箇所に形成されている。周辺部６１は、切欠６７の縁部のうち最も草刈刃５１の中心方向への深さを有する最深部６９と、周辺部６１の外縁における切欠６７の開口の両端部から最深部６９へと続く第１端部７１および第２端部７３を有する。図４（Ｃ）に示すように、回転軸Ａから第１端部７１の周辺部６１の外縁までの距離をＬ１，第２端部７３の外縁までの距離をＬ２とすると、Ｌ１＞Ｌ２となる。
【００４９】
周辺部６１の下部６５における切欠６７以外の部分の形状について、回転方向の前方から順に説明する。図４（Ｃ）のＦ部分は、２つの切欠６７の間に位置する一つの刃片９１の図４（Ｂ）のＥ−Ｅ断面である。刃片９１は、２つの切欠６７の間に位置する部分全体であって、上部６３から斜め下方向に延び出す部分である。この刃片９１は、その刃片９１を挟み込む２つの切欠６７の一方の切欠６７の第１端部７１と他方の切欠６７の第２端部７３が円周方向の端部となる。部分Ｆ（刃片９１の断面）の形状は、周辺部６１の下端から切欠６７の最深部６９の高さ付近までのどの部分の断面であっても大きな変化はなく類似した形状となっている。
【００５０】
刃片９１において、第１端部７１から円周方向の所定の範囲においては、回転軸Ａからの距離が円周方向に対して一定である前方部８１が設けられる。前方部８１の回転方向後方、即ち第１端部７１と反対側の端部には、回転軸Ａから離れる方向に突出する突出部８３が設けられている。突出部８３の半径方向の頂点（突出した先）の近傍が、周辺部６１において回転軸Ａから最も距離が離れた点となる。前方部８１と突出部８３との連接部分は比較的小さな半径の曲面となっており、突出部８３が半径方向に立ち上がった後は丸みを帯びて徐々に円周方向に沿った角度となる。つまり、突出部８３は第１端部７１側から第２端部７３側に向かうに連れて、回転軸Ａからの距離が遠くなる面となっている。
【００５１】
突出部８３の後方には、凹凸なく滑らかに連続する後方部８５が設けられる。後方部８５は、徐々に回転軸Ａに近づいていき、後方部８５の後端は切欠６７の第２端部７３へとつながる。なお、図４（Ｃ）において回転軸Ａから前方部８１までの距離をＬ３，突出部８３の頂点までの距離をＬ４，後方部８５までの距離をＬ５とすると、Ｌ４＞Ｌ３，Ｌ４＞Ｌ５であり、Ｌ５は回転方向前方（突出部８３側）においてはＬ５＞Ｌ３であるが、第２端部７３近傍ではＬ３＞Ｌ５となる。後方部８５は、第２端部７３側から第１端部７１側に向かうに連れて、回転軸Ａからの距離が遠くなる面となっている。
【００５２】
なお、前方部８１が本発明における第１領域の一例であり、突出部８３が、本発明における第２領域の一例であり、後方部８５が本発明における第３領域の一例である。さらに、前方部８１および突出部８３が本発明における第１面の一例であり、後方部８５が本発明における第２面の一例である。
【００５３】
（３）効果
本実施例の草刈刃５１は、実施例１の草刈刃１と同様の作用効果を得ることができるうえ、回転によって揚力を得ることができる。その仕組みを説明する。
【００５４】
図５は図４（Ｂ）のＥ−Ｅ断面である。図４（Ｃ）および図５に示す矢印のうち、実線の矢印Ｈ１は草刈刃５１の回転時に周辺部６１の外側を通る空気の流れを示し、破線の矢印Ｈ２は周辺部６１の内側を通る空気の流れを示す。
【００５５】
刃片９１は、回転時に飛行機の翼のように揚力を得ることができる。周辺部６１の外側は突出部８３によって流路が外側に膨らむため、空気の流速が内側に比べて大きくなる。また、後方部８５が迎角を形成している状態となる。これにより、刃片９１の主たる面と交差する方向（矢印Ｇ方向）に揚力が発生し、草刈刃５１全体としては上向きの揚力を得ることができる。
【００５６】
また、後方部８５の外側を通る空気は、図５に示すように滑らかな後方部８５によってスムーズに後方の刃片９１の外側および内側に流れるため、揚力を効率よく得ることができる。
【００５７】
そして、このように揚力が発生する結果、草刈機３全体を軽く扱えるようになるため、草刈り作業時の草刈刃の高さ調整が容易になり、簡単に草の高さを揃えて仕上がりを綺麗にすることができる。例えば、揚力を調整して浮き上がり高さを一定とすることで、草を刈った跡を目立ち難く、綺麗に仕上げることができる。
【００５８】
また軽くなることで操作のミスが起こりにくくなり、安全性の向上および作業者の注意負担の軽減が達成できる。
また、草刈刃５１が地面に接触し難くなるため、小石や砂の接触による飛散が抑制できる。また草刈刃５１の回転時に風が起こるので、その風を清掃ブロアとして利用することができる。
【００５９】
なお草刈刃５１において、前方部８１，突出部８３，後方部８５は揚力を得られる範囲で様々な形状とすることができる。例えば前方部８１は円周方向に対して傾斜していてもよい。なお、草刈刃５１の直径が２０〜３０ｃｍの場合には、下端部において前方部８１の円周方向の幅を５〜１０ｍｍ程度とし、前方部８１と突出部８３の頂点の回転軸Ａからの距離の差（Ｌ４−Ｌ３）を２〜１０ｍｍ程度とした場合には、揚力を良好に発生させ易くなる。
【００６０】
［実施例１および２の変形例］
以上本発明の実施例について説明したが、本発明は、上記実施例に何ら限定されることはなく、本発明の技術的範囲に属する限り種々の形態をとり得ることはいうまでもない。
【００６１】
例えば、上記各実施例の草刈刃の材料は特に限定されないが、草刈刃が設置物に接触すると下方向に折れ曲がる力を強く受けるため、高張力鋼（ハイテン材）を用いることで、草刈刃の破損を低減できる。
【００６２】
また、上記各実施例においては、外縁の傾斜面が湾曲している構成を例示したが、断面が直線状となるように傾斜していてもよい。
また、上記各実施例においては、連結部１１，５３以外の領域が全体的に湾曲している構成を例示したが、例えば連結部１１，５３と近接した部分の一部が回転軸Ａと直交するフラットな面として形成されていてもよい。
【００６３】
また、連結部１１，５３はその周囲よりも下方向に窪んだ面に形成される構成を例示したが、その周囲と同じ高さや周囲よりも高い面に形成されていてもよい。また連結部１１，５３は貫通孔１３，５５と平面１５，５７からなる構成を例示したが、草刈機３と連結可能であればその具体的な形状は特に限定されない。
【００６４】
また、実施例２に記載の草刈刃５１は、図６（Ａ），（Ｂ）に示すように、刃片９１に円周方向の凸条１０１を設けてもよい。このように構成された草刈刃は刃片９１の強度を高めて刃片９１の変形を抑制することができる。凸条１０１の数は図示するように２つに限られるものではなく、１つや３つ以上であってもよい。また、凸条に変えて凹条を設けてもよい。
【００６５】
また、揚力を調整するために、上部６３に貫通孔１０３を形成してもよい。貫通孔１０３の数や大きさは特に限定されないが、数が多く大きいほど揚力は低下する。そこで、貫通孔を塞ぐようにテープを張り付けたり、貫通孔の開閉機構を設けて貫通孔の開口部分を減少させることで、揚力が低下しすぎないように調整することも可能となる。
【００６６】
さらに、図７に示す草刈刃５１ａように、上部６１に円周方向に対して傾斜した凸条８７を設けてもよい。この凸条８７は、回転方向前方ほど回転軸Ａに近くなっており、草刈刃５１ａの回転時に草を外側に弾き飛ばすため、草が連結部５３と草刈機３との連結部分に絡んでしまうことをより高度に抑制できる。
【００６７】
なお図４、図６の草刈刃５１は前方部８１および突出部８３の連結部分は比較的小さな半径の曲面で連結し、その連結部分が比較的大きな角度を有する構成となっていた。これに対し図７の草刈刃５１ａは、前方部８１ａおよび突出部８３ａの連結部分の角度が小さく、凸条部分を除き刃片９１ａ全体が滑らかな平面となるように形成されている。このように構成された草刈刃５１ａでも、草刈刃５１と同様に揚力を得ることができる。
【００６８】
また、本発明の草刈刃は図８に示す草刈刃１１１のように構成してもよい。草刈刃１１１は、連結部１１３と、外縁が下側に傾斜する周辺部１１５とを有するものであって、外縁に開口を有する切欠１１７が複数設けられている。周辺部１１５の外縁には、切欠１１７の縁部よりも草刈刃１１１の回転軸Ａから離れた位置にある領域を有している。
【００６９】
切欠１１７の最深部１１９近傍には外側に突出する凸部１３１が形成されており、凸部１３１同士の中間部にも凸部１３３が形成されている。これら凸部１３１および凸部１３３によって草刈刃１１１の強度は高くなっており、周辺部１１５が上側に曲がって開くように変形してしまうことが抑制される。
【００７０】
最深部１１９へと続く第１端部１２１および第２端部１２３について、回転時に第１端部１２１が通過する領域は、第２端部１２３が通過する領域よりも外側に位置している。
周辺部１１５の外縁近傍は折り曲げ部１３５にて内側に折り曲げられている。折り曲げ部１３５は、第１端部１２１側は周辺部１１５の外縁に近いが、第２端部１２３側に向かうにつれて草刈刃１１１の中心側に近づいている。
【００７１】
図３（Ｂ）に、草刈刃１１１が回転した際に第１端部１２１が通過する領域１２１ａおよび第２端部１２３が通過する領域１２３ａを表す模式的な側面断面図を示す。草刈刃１１１の回転軸Ａに沿う方向（上下方向）の所定の範囲において、領域１２１ａは領域１２３ａよりも回転軸から離れた位置となるように、回転軸Ａと直交する方向に間隔を有している。なお草刈刃１１１では、１２１ａと領域１２３ａとの間の領域Ｄは下端ほど広く上端ほど狭くなっている。
【００７２】
また図９（Ａ）〜（Ｃ）に示す草刈刃１４１のように、リング部１４９を備えるように構成してもよい。草刈刃１４１は、連結部１４３と、外縁が下側に傾斜する周辺部１４５とを有するものであって、外縁に開口を有する切欠１４７が複数設けられている。周辺部１４５の外縁には、切欠１４７の縁部よりも草刈刃１１１の回転軸Ａから離れた位置にある領域を有している。
【００７３】
周辺部１４５には、回転軸Ａから離れる方向に突出する半環状（半円筒状）のリング部１４９が設けられている。リング部１４９は貫通孔１４９ａを有しており、その貫通孔１４９ａの貫通方向が草刈刃１４１の円周方向（回転方向）に沿う方向となるように配置されている。
【００７４】
このように構成された草刈刃１４１は、切欠１４７と周辺部１４５の外縁部分のみでなく、リング部１４９においてもその端部にて草等を刈ることができ、草刈り作業の効率を向上できる。
【００７５】
なおリング部１４９の形状は図９（Ａ）〜（Ｃ）に示すものに限定されず、略環状である様々な形状とすることができる。例えば環状の一部が切れている形状であってもよい。また環状部分の断面の概形が円形以外の形状であってもよく、例えば楕円形や略矩形などとすることができる。草刈刃１４１は、リング部１４９の形状に応じて、切欠１４７および周辺部１４５の外縁とは異なる切れ味を草刈刃１４１に与えることができる。
【００７６】
なお、本項において説明した変形例は、以下の実施例３および実施例４の構成に適用してもよい。
［実施例３］
（１）草刈刃の構成
上記実施例１，２においては外縁に開口を有する切欠が形成された草刈刃を例示したが、本実施例では、切欠に変えて貫通孔を形成する草刈刃を説明する。貫通孔を形成された草刈刃を図１０に示す。
【００７７】
草刈刃１５１は全体として略円盤状の形状であって、草刈刃１５１の中央には草刈機３と連結するための連結部１５３が形成されている。連結部１５３の形状は実施例１の草刈刃１における連結部１１と同様である。
【００７８】
連結部１５３の周囲には連結部１５３を中心として拡がる周辺部１６１が設けられる。周辺部１６１は外縁が下側に傾斜するように全体として湾曲している。周辺部１６１には貫通孔１６３が等間隔で６箇所に形成されている。また周辺部１６１は、貫通孔１６３の縁部よりも草刈刃１５１の回転軸Ａから離れた位置にある領域１６１ａを有している。
【００７９】
この草刈刃１５１は左回りに回るように用いられるものである。貫通孔１６３の縁部のうち、その回転方向に位置する前方領域１６５は、貫通孔１６３の縁部のうち上記回転方向とは反対側に位置する後方領域１６７よりも回転軸Ａに近い位置に設けられている。即ち、貫通孔１６３を挟む位置関係で上下方向と直交する水平方向に離れて存在する前方領域１６５と後方領域１６７は、回転軸Ａからの距離が相違する。
【００８０】
また草刈刃１５１における貫通孔１６３の下方には、上下方向に延び、外側に突出する突出部１７１が２つ並ぶように形成されている。
（２）効果
このように構成された草刈刃１５１は、領域１６１ａが貫通孔１６３の縁部よりも回転軸Ａを基準として外側に位置している。即ち領域１６１ａがコンクリートなどの設置物に最初に接触し易くなるが、領域１６１ａは曲面状に形成されているため、貫通孔１６３の縁部が設置物に接触する場合と比較して影響が小さく、設置物および草刈刃１５１の破損を抑制できる。また人や動物に接触したときの怪我を抑制することもできる。
【００８１】
また前方領域１６５は後方領域１６７よりも回転軸Ａに近い位置にある。即ち実施例１の草刈刃１における第２端部２９および第１端部２７と同様の位置関係となっている。そのため、貫通孔１６３の縁部が草刈刃１の切欠の縁部と同様に作用して、草刈刃１５１が回転すると刈るべき草が貫通孔１６３の内部に入り込んで後方領域１６７の縁部による草の切断が行われ易くなり、その結果、草刈を迅速に行うことができるようになる。
【００８２】
なお本実施例においては、前方領域１６５は全体的に後方領域１６７よりも回転軸Ａに近い位置に設けられているが、少なくとも上下方向に関する所定の範囲において前方領域１６５が後方領域１６７よりも回転軸Ａに近い位置に設けられていればよい。
【００８３】
また草刈刃１５１は、実施例１の草刈刃１と同様に刈り取った草が傾斜面によって外側に弾かれるため、上に草が乗りにくくなる結果、草同士が絡んだり、草刈機３が草を巻き込んでしまうことを抑制できる。
【００８４】
また草刈刃１５１は、実施例１，２とは異なり切欠ではなく貫通孔が形成されている。よって草刈刃１５１の外縁が途切れず連続する形状となっているため、草刈刃１５１が設置物等に接触して草刈刃１５１の外縁が変形したり破損したりすることを抑制できる。
【００８５】
また突出部１７１によって貫通孔１６３の下方が波状になっているため、その部分における切れ味を向上させることができる。
ところで本実施例の草刈刃１５１は切欠が形成されていない。切欠は比較的硬い低木や竹などを刈り取る際に特に効果的であるが、比較的柔らかい雑草を刈り取る際には切欠が形成されていない部分でも十分に刈り取り性能を発揮する。そのため、草刈刃１５１の外縁が途切れず連続する形状となっていることにより、雑草などの比較的柔らかいものを刈り取る場合には、実施例１，２に記載した草刈刃と同等以上に迅速に刈り取りを行うことができる。
【００８６】
一方、実施例１，２の草刈刃には切欠が形成されていることから、比較的硬いものであっても迅速に刈り取りを行うことができる。
（３）その他の形状
周辺部１６１は、実施例２の草刈刃５１のように、図５に示すような断面形状を有するように形成してもよい。このように形成することで、実施例２の草刈刃５１と同様に回転により揚力を得ることができるようになる。なお図５に示す刃片９１の間の空間が、貫通孔１６３によって構成される。
【００８７】
また貫通孔１６３の下方の形状は図１０の形状に限らず様々な形状とすることができる。例えば図１１（Ａ）に示す草刈刃１５１ａのように突出部１７１が１つのみ形成されるものであってもよいし、３つ以上が形成されていてもよい。
【００８８】
また図１１（Ｂ）に示す草刈刃１５１ｂのように、突出部１７１を有さず、なだらかに連続する形状としてもよい。
また図１１（Ｃ）に示す草刈刃１５１ｃのように、突出部１７１が突出した部分の上端を閉じる蓋部１７３を設ける構成であってもよい。この蓋部１７３を設けることで、貫通孔１６３の下方部分の強度を向上させることができる。
【００８９】
また、貫通孔を有する草刈刃として、図１２に示す草刈刃１９１のように構成してもよい。
草刈刃１９１は、全体として略円盤状の形状であって、草刈刃１９１の中央には、草刈機３と連結するための連結部１９３が形成されている。連結部１９３の形状は一部に孔１９３ａを有する以外、実施例１の草刈刃１における連結部１１と同様である。
【００９０】
連結部１９３の周囲には連結部１９３を中心として拡がる周辺部２０１が設けられる。周辺部２０１は外縁が下側に傾斜するように全体として湾曲している。
周辺部２０１には周囲よりも窪んだ凹部２０３が複数（本実施例では６つ）形成されており、凹部２０３における草刈刃１９１の回転方向の後方には、空気孔２０５が形成されている。周辺部２０１から凹部２０３を経由して空気孔２０５までは滑らかな曲面で形成されており、草刈刃１９１が回転すると空気が空気孔２０５を通って草刈刃１９１の内側（下側）に流れ込む。
【００９１】
周辺部２０１における凹部２０３よりも外縁側には、周囲よりも盛り上がった凸部２０７が複数（本実施例では６つ、その数は特に限定されない）形成されている。この凸部２０７は上記回転方向に沿って長さを有しており、回転方向前方には貫通孔２０９が形成されている。
【００９２】
この貫通孔２０９の縁部のうち、貫通孔２０９を挟む位置関係で水平方向に離れて存在する第１領域２１０および第２領域２１１は、回転軸Ａと直交する方向に関して間隔を有している。第１領域２１０は第２領域２１１よりも回転軸Ａに近い位置に設けられており、貫通孔２０９は草刈刃１９１の外側から見ると回転方向前方を向いて開口している。
【００９３】
また周辺部２０１は、貫通孔２０９の縁部よりも草刈刃１９１の回転軸Ａから離れた位置にある領域２０１ａを有している。
このように構成された草刈刃１９１も、草刈刃１５１と同様の効果を奏することができる。即ち、設置物および草刈刃の破損を抑制するとともに人に接触したときの怪我を抑制でき、また貫通孔２０９の縁部により草の切断を行うことで草刈を迅速に行うことができる。また草刈機３が草を巻き込むことを抑制できる。
【００９４】
［実施例４］
図１３（Ａ）〜（Ｃ）に、本実施例の草刈刃２２１を示す。草刈刃２２１は、図２（Ａ）に示す草刈機３と連結して用いられる。この草刈刃２２１は図１３（Ｃ）において左回りに回るように用いられることで、より良好に草刈機能を発揮するものである。
【００９５】
草刈刃２２１は、全体として略円形の円盤状の形状である。草刈刃２２１の中央には、草刈機３と連結するための連結部２２３が形成されている。連結部２２３の形状は一部に孔２２３ａを有する以外、実施例１の草刈刃１における連結部１１と同様である。
【００９６】
連結部２２３の周囲には連結部２２３を中心として拡がる周辺部２３１が設けられる。周辺部２３１は、図１３（Ａ），（Ｂ）に示すように、外縁が下側に傾斜するように全体として湾曲している。ここで言う下側とは、草刈機３に取り付けて使用する状態における下方向であり、また草刈刃２２１の回転軸Ａに沿う方向のうち、草刈機３の駆動源であるエンジン３１や操作に用いる把持部などがある方向の反対方向である。
【００９７】
周辺部２３１には周囲よりも窪んだ凹部２３３が複数（本実施例では６つ）形成されており、凹部２３３における草刈刃２２１の回転方向の後方には、空気孔２３５が形成されている。周辺部２３１から凹部２３３を経由して空気孔２３５までは滑らかな曲面で形成されており、草刈刃２２１が回転すると空気が空気孔２３５を通って草刈刃２２１の内側（下側）に流れ込む。
【００９８】
周辺部２３１の外縁には、上方に丸みを持って膨らんだドーム部２３７が複数箇所（本実施例では６箇所、その数は特に限定されない）に形成されている。ドーム部２３７は、全体として回転方向前方が大きく膨らんでおり、回転方向後方の膨らみが小さい。外縁側の下端は内側（回転軸Ａ側）に緩やかにカーブしており、特に回転方向前方は草刈刃２２１の下側に巻き込むような形状になっている。ドーム部２３７の回転方向前方の端部には下端に開口を有する切欠２３９が形成されている。
【００９９】
切欠２３９の縁部は、切欠２３９の両側に位置する第１端部２４３および第２端部２４５と、切欠２３９の上端に位置する上側縁部２４１と、を有し、第１端部２４３および第２端部２４５が切欠２３９の下端から上側縁部２４１に続いている。
【０１００】
第１端部２４３は第２端部２４５と比較して回転軸Ａに遠い位置に形成されている。そのため、第１端部２４３および第２端部２４５が草刈刃２２１の回転時に通過する領域のうち、上下方向の所定の範囲においては、回転軸Ａと直交する方向に関して間隔を有する。なお本実施例においては、上記所定の範囲とは下端から上側縁部２４１までのほぼ全領域であるが、少なくとも上下方向の一部の範囲において間隔を有していればよい。
【０１０１】
切欠２３９は草刈刃２２１の外側から見ると回転方向前方を向いて開口している。
また周辺部２３１は、切欠２３９の縁部よりも草刈刃２２１の回転軸Ａから離れた位置にある領域２３１ａを有している。
【０１０２】
このように構成された草刈刃２２１も、実施例１の草刈刃１と同様の効果を奏することができる。即ち、設置物や草刈刃２２１の破損を抑制するとともに人に接触したときの怪我を抑制でき、また切欠２３９の縁部により草の切断を行うことで草刈を迅速に行うことができる。また草刈機３が草を巻き込むことを抑制できる。
【０１０３】
また草刈刃２２１は、外縁に位置するドーム部２３７が丸みを有しており、その下端も内側にカーブしているため、設置物や人に接触したときの危険をより高度に低減でき、また草の巻きつきも予防できる。
【符号の説明】
【０１０４】
１…草刈刃、３…草刈機、７…草、１１…連結部、１３…貫通孔、１５…平面、１７…山部、２１…周辺部、２１ａ…位置、２３…切欠、２５…最深部、２７…第１端部、２７ａ…外縁、２７ｂ…領域、２９…第２端部、２９ａ…外縁、２９ｂ…領域、３１…エンジン、３３…パイプシャフト、３５…駆動軸、３７…留め金具、３９…ボルト、５１，５１ａ…草刈刃、５３…連結部、５５…貫通孔、５７…平面、６１…周辺部、６３…上部、６３ａ…凸条、６５…下部、６７…切欠、６９…最深部、７１…第１端部、７３…第２端部、８１，８１ａ…前方部、８３，８３ａ…突出部、８５…後方部、８７…凸条、９１，９１ａ…刃片、１０１…凸条、１０３…貫通孔、１１１…草刈刃、１１３…連結部、１１５…周辺部、１１７…切欠、１１９…最深部、１２１…第１端部、１２１ａ…領域、１２３…第２端部、１２３ａ…領域、１３１…凸部、１３３…凸部、１３５…折り曲げ部、１４１…草刈刃、１４３…連結部、１４５…周辺部、１４７…切欠、１４９…リング部、１４９ａ…貫通孔、１５１…草刈刃、１５１ａ〜ｃ…草刈刃、１５３…連結部、１６１…周辺部、１６１ａ…領域、１６３…貫通孔、１６５…前方領域、１６７…後方領域、１７１…突出部、１７３…蓋部、１９１…草刈刃、１９３…連結部、１９３ａ…孔、２０１…周辺部、２０１ａ…領域、２０３…凹部、２０５…空気孔、２０７…凸部、２０９…貫通孔、２１０…第１領域、２１１…第２領域、２２１…草刈刃、２２３…連結部、２２３ａ…孔、２３１…周辺部、２３１ａ…領域、２３３…凹部、２３５…空気孔、２３７…ドーム部、２３９…切欠、２４１…上側縁部、２４３…第１端部、２４５…第２端部
【図１】
2014030421.tif 000003
【図２】
2014030421.tif 000004
【図３】
2014030421.tif 000005
【図４】
2014030421.tif 000006
【図５】
2014030421.tif 000007
【図６】
2014030421.tif 000008
【図７】
2014030421.tif 000009
【図８】
2014030421.tif 000010
【図９】
2014030421.tif 000011
【図１０】
2014030421.tif 000012
【図１１】
2014030421.tif 000013
【図１２】
2014030421.tif 000014
【図１３】
2014030421.tif 000015